(57)【要約】【課題】  複雑なキー操作に関する知識がなくても、電話機能と電子メール機能とを容易に操作することが可能な通信端末を提供する。【解決手段】  通信端末は、一つの操作面（表面Ａ）に、電話機能に使用する複数のキー（ａ−１，ａ−３）及び第１の操作画面（ＬＣＤａ−２）を配置し、操作面（表面Ａ）に対向する裏面側の他の操作面（裏面Ｂ）に、電子メール機能に使用する複数のキー（ｂ−１，ｂ−３）及び第２の操作画面（ＬＣＤｂ−２）を配置している。【選択図】      図１
2010062779.tif 000002
【特許請求の範囲】
【請求項１】
一つの操作面に、電話機能に使用する複数のキー及び第１の操作画面を配置し、
前記操作面に対向する裏面側の他の操作面に、電子メール機能に使用する複数のキー及び第２の操作画面を配置したことを特徴とする通信端末。
【請求項２】
前記操作面及び前記他の操作面のいずれが上側となっているかを判定する手段を含み、
前記上側に対向する下側の面のキーを無効化することを特徴とする請求項１記載の通信端末。
【請求項３】
前記電話機能及び前記電子メール機能に関する設定情報を外部装置から受信した時に当該設定情報で自端末に格納する設定情報を更新する手段を含むことを特徴とする請求項１または請求項２記載の通信端末。
【請求項４】
前記設定情報は、他の端末の操作に基づいてサーバに蓄積され、当該サーバから自端末に送られてくることを特徴とする請求項３記載の通信端末。
【請求項５】
前記設定情報は、電話帳データ、写真データ、スケジュールデータ、着信メロディ設定データ、待ち受け画像設定データのうちの少なくとも一つを含むことを特徴とする請求項３または請求項４記載の通信端末。
【請求項６】
携帯電話機、ＰＨＳ（Ｐｅｒｓｏｎａｌ  Ｈａｎｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、固定電話機のいずれかであることを特徴とする請求項１から請求項５のいずれか記載の通信端末。
【請求項７】
前記操作面に配置した複数のキー及び前記他の操作面に配置した複数のキー各々を前記電話機能及び前記電子メール機能各々の操作手順毎に有効無効を制御する手段を含むことを特徴とする請求項１から請求項６のいずれか記載の通信端末。
【請求項８】
電話機能及び電子メール機能を備えた通信端末を含む電話システムであって、
前記通信端末において、一つの操作面に、前記電話機能に使用する複数のキー及び第１の操作画面を配置し、前記操作面に対向する裏面側の他の操作面に、前記電子メール機能に使用する複数のキー及び第２の操作画面を配置したことを特徴とする電話システム。
【請求項９】
前記通信端末は、前記操作面及び前記他の操作面のいずれが上側となっているかを判定する手段を含み、
前記通信端末において前記上側に対向する下側の面のキーを無効化することを特徴とする請求項８記載の電話システム。
【請求項１０】
前記通信端末の前記電話機能及び前記電子メール機能に関する設定情報を他の端末の操作に基づいて作成するサーバを含み、
前記通信端末は、前記サーバから受信した設定情報で前記通信端末に格納する設定情報を更新する手段を含むことを特徴とする請求項８または請求項９記載の電話システム。
【請求項１１】
前記設定情報は、電話帳データ、写真データ、スケジュールデータ、着信メロディ設定データ、待ち受け画像設定データのうちの少なくとも一つを含むことを特徴とする請求項１０記載の電話システム。
【請求項１２】
前記通信端末は、携帯電話機、ＰＨＳ（Ｐｅｒｓｏｎａｌ  Ｈａｎｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、固定電話機のいずれかであることを特徴とする請求項８から請求項１１のいずれか記載の電話システム。
【請求項１３】
前記通信端末は、前記操作面に配置した複数のキー及び前記他の操作面に配置した複数のキー各々を前記電話機能及び前記電子メール機能各々の操作手順毎に有効無効を制御する手段を含むことを特徴とする請求項８から請求項１２のいずれか記載の電話システム。
【請求項１４】
電話機能及び電子メール機能を備えた通信端末に用いる特定機能簡単操作方法であって、
前記通紙端末において、一つの操作面に、前記電話機能に使用する複数のキー及び第１の操作画面を配置し、前記操作面に対向する裏面側の他の操作面に、前記電子メール機能に使用する複数のキー及び第２の操作画面を配置したことを特徴とする特定機能簡単操作方法。
【請求項１５】
前記通信端末が、前記操作面及び前記他の操作面のいずれが上側となっているかを判定する処理を実行し、前記上側に対向する下側の面のキーを無効化することを特徴とする請求項１４記載の特定機能簡単操作方法。
【請求項１６】
サーバが、前記通信端末の前記電話機能及び前記電子メール機能に関する設定情報を他の端末の操作に基づいて作成し、
前記通信端末が、前記サーバから受信した設定情報で前記通信端末に格納する設定情報を更新する処理を実行することを特徴とする請求項１４または請求項１５記載の特定機能簡単操作方法。
【請求項１７】
前記設定情報は、電話帳データ、写真データ、スケジュールデータ、着信メロディ設定データ、待ち受け画像設定データのうちの少なくとも一つを含むことを特徴とする請求項１６記載の特定機能簡単操作方法。
【請求項１８】
前記通信端末が、携帯電話機、ＰＨＳ（Ｐｅｒｓｏｎａｌ  Ｈａｎｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、固定電話機のいずれかであることを特徴とする請求項１４から請求項１７のいずれか記載の特定機能簡単操作方法。
【請求項１９】
前記通信端末が、前記操作面に配置した複数のキー及び前記他の操作面に配置した複数のキー各々を前記電話機能及び前記電子メール機能各々の操作手順毎に有効無効を制御する処理を実行することを特徴とする請求項１４から請求項１８のいずれか記載の特定機能簡単操作方法。
【発明の詳細な説明】
【技術分野】
【０００１】
本発明は通信端末、電話システム及びそれらに用いる特定機能簡単操作方法に関し、特に年配者（高齢者）向けの携帯電話端末の操作方法に関する。
【背景技術】
【０００２】
携帯電話端末の利用者が全年齢層に拡大しており、携帯電話端末に要求される機能は、年齢層によって異なりを見せている。若者向けの多種機能を搭載した携帯電話端末とは異なる、年配者向けの携帯電話端末が多く登場しているが、簡単に操作できると謳っている携帯電話端末でも、年配者が実際に使用してみると、操作が複雑で分からないという声が多くあるのが現状である。
【０００３】
上記の携帯電話端末においては、画面の位置、キーの位置が１つに固定されているため、キーに割り付けられる機能が変わったり、また使用する機能によって携帯電話端末の持ち方が変わったりするといったことが、操作方法の分かりづらさの原因になっている。
【０００４】
上述した年配者向けの携帯電話端末としては、入力情報または機能を表示部に拡大表示させる端末（例えば、特許文献１参照）、テキスト文等の所定の情報の音声読み上げを行う端末（例えば、特許文献２参照）、操作手順に基づいて操作キーを発光させる端末（例えば、特許文献３参照）等がある。
【特許文献１】特開２００７−０６６１７１号公報
【特許文献２】特開２００６−３２５２６７号公報
【特許文献３】特開２００５−３４８１８４号公報
【発明の開示】
【発明が解決しようとする課題】
【０００５】
本発明に関連する携帯電話端末では、１つに固定された画面の位置、キーの位置／配置で、様々な機能を提供しているため、利用シーンによって使用するキーの役割が違ったり、または持ち方を変えて使用するため、操作方法が分かりづらいという課題がある。特に、年配者にとっては使いづらいインタフェースとなっている。
【０００６】
一方、年配者の多くは、電話機能と電子メール機能とのみを使用しており、それ以外の機能を必要としていないケースが多い。電話帳の設定や画像ファイルの整理等、複数ステップを踏む必要がある作業は、利用者本人が行えないため、使用に慣れている人にお願いする場合が多い。
【０００７】
上述した特許文献１〜３に記載の端末では、入力情報または機能の表示部への拡大表示、所定の情報の音声読み上げ、操作手順に基づく操作キーの発光が行われているだけなので、上記の課題を解決することはできない。
【０００８】
そこで、本発明の目的は上記の問題点を解消し、複雑なキー操作に関する知識がなくても、電話機能と電子メール機能とを容易に操作することができる通信端末、電話システム及びそれらに用いる特定機能簡単操作方法を提供することにある。
【課題を解決するための手段】
【０００９】
本発明による通信端末は、一つの操作面に、電話機能に使用する複数のキー及び第１の操作画面を配置し、
前記操作面に対向する裏面側の他の操作面に、電子メール機能に使用する複数のキー及び第２の操作画面を配置している。
【００１０】
本発明による電話システムは、電話機能及び電子メール機能を備えた通信端末を含む電話システムであって、
前記通信端末において、一つの操作面に、前記電話機能に使用する複数のキー及び第１の操作画面を配置し、前記操作面に対向する裏面側の他の操作面に、前記電子メール機能に使用する複数のキー及び第２の操作画面を配置している。
【００１１】
本発明による特定機能簡単操作方法は、電話機能及び電子メール機能を備えた通信端末に用いる特定機能簡単操作方法であって、
前記通紙端末において、一つの操作面に、前記電話機能に使用する複数のキー及び第１の操作画面を配置し、前記操作面に対向する裏面側の他の操作面に、前記電子メール機能に使用する複数のキー及び第２の操作画面を配置している。
【発明の効果】
【００１２】
本発明は、上記のような構成及び動作とすることで、複雑なキー操作に関する知識がなくても、電話機能と電子メール機能とを容易に操作することができるという効果が得られる。
【発明を実施するための最良の形態】
【００１３】
次に、本発明の実施の形態について図面を参照して説明する。まず、本発明による通信端末（特に、携帯電話端末）の概要について説明する。本発明では、年配者（高齢者）が誰でも簡単に使用できるように、直感操作を重視した筐体の形状及び機能を持つ携帯電話端末を提案している。以降、この携帯電話端末を簡単端末と呼ぶことにする。
【００１４】
本発明は、携帯電話端末の操作性を簡単にするために、簡単端末の利用者が使用できる特定機能として、１）電話機能、２）電子メール作成機能の複数の機能（例えば、２つ）に限定し、それぞれの機能を筐体の表面、裏面に割り付けている。これによって、表面及び裏面の各面は、それぞれの機能に最適な画面とキーの配置とを実現することができる。それ以外の簡単端末の設定関連（ここでは電話帳、画像データ等）の機能は、異なる携帯電話端末から操作するようにする。
【００１５】
本発明は、上記のように、利用者が使用できる機能を複数（２つ以上）に限定し、筐体の表面と裏面とのそれぞれに１つだけ機能を割り付けることによって、それぞれ機能に最適の画面の位置、キーの位置を実現することができる。複数（２つ以上）の機能に限定した背景としては、年配者の多くが電話機能と電子メール機能とのみを使用しているためである。
【００１６】
簡単端末では、ユーザが使用できる機能を、１）電話機能、２）電子メール機能の二つに限定する。それ以外の機能、例えば簡単端末の設定や内蔵データの管理は、簡単端末のデータの変更権を有する別の携帯電話端末で行う。本発明では、二つの機能に絞った簡単端末の筐体の形状と、別携帯電話で簡単端末の情報管理を行うための仕組みを提案する。
【００１７】
図１は本発明の実施の形態による簡単端末の筐体の形状を示す図である。図１において、本発明の実施の形態による簡単端末は、電話機能のみを使用するための表面Ａと、電子メール機能のみを使用するための裏面Ｂと、電源ＯＮ／ＯＦＦ用のキー（ｃ−１）を有する側面Ｃとからなる。
【００１８】
表面Ａは、電話帳を用いて電話をかける際に使用する“電話帳キー”、直接電話番号を押下して電話をかけるための“直接キー”、決定動作を行う“決定キー”からなる操作キー（ａ−１）を備えている。
【００１９】
また、表面Ａは、電話帳や電話番号を表示するＬＣＤ（Ｌｉｑｕｉｄ  Ｃｒｙｓｔａｌ  Ｄｉｓｐｌａｙ）（ａ−２）、数字入力等に使用するテンキー（ａ−３）を備えている。
【００２０】
裏面Ｂは、作成・送信画面と受信画面とを切り替えるための“切替キー”、本文の作成時に押下する“本文キー”、電子メールに添付する画像の選択画面を表示する“添付キー”、電話帳からの宛先選択画面を表示する“宛先キー”、送信動作を行う“送信キー”、中止動作を行う“中止キー”からなる操作キー（ｂ−１）を備えている。
【００２１】
また、裏面Ｂは、電子メール作成画面等を表示するＬＣＤ（ｂ−２）、画面に表示されたカーソルを上下左右に移動させたり、キーの真ん中を押し込むことで確定動作を行うコントロール用キー（ｂ−３）を備えている。
【００２２】
図２は本発明の実施の形態による簡単端末の構成例を示すブロック図であり、図３（ａ），（ｂ）は本発明の実施の形態による簡単端末の表面Ａの認識処理を説明するための図である。
【００２３】
図２において、簡単端末１は、通信部１１と、制御部１２と、データ更新部１３と、有効キー制御部１４とから構成されている。通信部１１は、一般的な電話機能や電子メール機能を有する。データ更新部１３は、サーバ（図示せず）から送付されてくる更新情報を基に簡単端末１内部のＰＩＭ（Ｐｅｒｓｏｎａｌ  Ｉｎｆｏｒｍａｔｉｏｎ  Ｍａｎａｇｅｒ）情報を更新する。
【００２４】
有効キー制御部１４は、簡単端末１の表側Ａのキーのみを有効化する。有効キー制御部１４は、加速度センサー（図示せず）による座標軸情報を用いて、表側に来ている面が、表面Ａ、裏面Ｂのどちらかを判断する。つまり、有効キー制御部１４は、図３に示すように、電源ＯＮ時の座標軸を基準として、Ｚ軸を固定に、Ｘ軸が１８０度変化した時、またはＹ軸が１８０度変化した時に裏面Ｂが表にきたと感知して、表にきたキーの有効化と裏に回ったキーの無効化を行う。こうすることによって、本実施の形態では、キーの誤操作を抑制する。
【００２５】
図４は本発明の実施の形態による電話システムの構成例を示すブロック図である。図４において、本発明の実施の形態による電話システムは、上記の図２に示す簡単端末１と、データ操作端末２と、サーバ３と、ユーザ情報ＤＢ（データベース）４とから構成されている。
【００２６】
データ操作端末２は、サーバ３に問い合わせて、簡単端末１のＰＩＭデータ（電話帳や画像データ、画像データはＰＩＭではないが、ここでは画像データも指すこととする）を更新する。サーバ３は、簡単端末１のＰＩＭデータを管理し、ユーザ情報ＤＢ４は、簡単端末１のＰＩＭデータのデータベースである。
【００２７】
サーバ３は、入力部３１と、端末識別部３２と、ＤＢ更新部３３と、差分情報管理部３４と、出力部３５とから構成されている。
【００２８】
端末識別部３２は、データ操作端末２が簡易端末１のＰＩＭデータを書き換える権利を持つかをどうかを判別する。ＤＢ更新部３３は、データ操作端末２の指示にしたがってユーザ情報ＤＢ４を書き換える。差分情報管理部３４は、簡単端末１に送信する更新情報を作成する。出力部３５は差分情報管理部３４が作成した更新情報を簡単端末１に送信する。
【００２９】
ユーザ情報ＤＢ４は、サーバ３側の“ＰＩＭデータ（電話帳／画像データ）”と、サーバ３側のＰＩＭデータがデータ操作端末２によって書き換えられた日時を保存する“更新日時”と、簡単端末１のＰＩＭデータの更新を許可する“データ操作端末２のＩＤ”と、簡単端末１のＰＩＭデータと同じ状態になっている“ＰＩＭデータ（古）”と、簡単端末１に更新データを送信した日時を保存する“簡単端末送信日”のデータを、それぞれ簡単端末（ユーザ）１単位に格納している。
【００３０】
図５（ａ），（ｂ）及び図６（ａ），（ｂ）は図１の簡単端末１の表面Ａの使用例を示す図であり、図７（ａ）〜（ｃ）及び図８は図１の簡単端末１の裏面Ｂの使用例を示す図である。これら図１〜図８を参照して簡単端末１のＵＩ（Ｕｓｅｒ  Ｉｎｔｅｒｆａｃｅ）について説明する。
【００３１】
図５〜図８においては、各ケースで、使用できないあるいは使用する必要のないキーの色を濃くしており、これらのキーは押しても何も反応も返さない状態になる。また、実際に入力を行っている項目については、その都度、どのキーを使用するかを示す。
【００３２】
図５及び図６は電話機能１の表面Ａ（電話機能）のＵＩを示している。電話をかける際、電話帳から電話をかける場合は、“電話帳キー”を押下して、表示される名前を“上下キー”で選択し、“決定キー”で発信する［図５（ａ）参照］。この場合、“数字キー”は、使用できないあるいは使用する必要のないキーとなる。
【００３３】
電話番号を直接入力する場合は、“直接キー”を押下し、“数字キー”で電話番号を入れた後（間違えた場合は“削除キー”を使う）、“決定キー”で発信する［図５（ｂ）参照］。この場合、“上下キー”は、使用できないあるいは使用する必要のないキーとなる。
【００３４】
発信中は、発信をキャンセルするための“削除キー”のみが有効となる［図６（ａ）参照］。この場合、“電話帳キー”、“直接キー”、“決定キー”、“上下キー”、“数字キー”は、使用できないあるいは使用する必要のないキーとなる。
【００３５】
電話がかかってきた場合は、ＬＣＤ（ａ−２）に着信者の名前が表示され、“決定キー”を押下することで通話状態に移行する［図６（ｂ）参照］。この場合、“電話帳キー”、“直接キー”、“上下キー”、“数字キー”、“削除キー”は、使用できないあるいは使用する必要のないキーとなる。
【００３６】
図７及び図８は電話機能１の裏面Ｂ（電子メール機能）のＵＩである。電子メールの本文を作成するためには、“本文キー”を押下した後、“コントロールキー（ｂ−３）”を使って本文を作成する［図７（ａ）参照］。この場合、“送信キー”は、使用できないあるいは使用する必要のないキーとなる。
【００３７】
添付ファイル（例えば、写真データ）を付けたい場合は、“添付キー”を押下した後、“コントロールキー（ｂ−３）”を使って画像を選択する［図７（ｂ）参照］。この場合、“送信キー”は、使用できないあるいは使用する必要のないキーとなる。
【００３８】
続いて、“宛先キー”を押下して、ＬＣＤ（ｂ−２）に電話帳を表示し、“コントロールキー（ｂ−３）”で送信相手を選択する［図７（ｃ）参照］。
【００３９】
電子メールの本文の作成中は、“本文キー”と“添付キー”と“宛先キー”とを切り替え自由とし、本文、宛先が入力されていない場合は、“送信キー”を有効化しない。
【００４０】
受信した電子メールを閲覧するためには、“切替キー”を押下して、ＬＣＤ（ｂ−２）に受信メール一覧を表示し、“コントロールキー（ｂ−３）”で読みたい電子メールを選択する（図８参照）。ここで、“切替キー”を押下すると、図７の電子メールの作成・送信画面に遷移する。この場合、“本文キー”、“添付キー”、“宛先キー”、“送信キー”は、使用できないあるいは使用する必要のないキーとなり、“中止キー”は操作可能としている。
【００４１】
図９は本発明の実施の形態によるＰＩＭデータの更新処理を示すシーケンスチャートである。図４と図９とを参照して本発明の実施の形態によるＰＩＭデータの更新処理について説明する。
【００４２】
図９は、データ操作端末２が簡単端末１のＰＩＭデータを書き換える際の処理の流れを示している。データ操作端末２は、簡単端末１のＰＩＭデータを更新するため、自身のデータ操作端末ＩＤ（ＩＤｅｎｔｉｆｉｅｒ）の情報と、更新対象の簡易端末ＩＤの情報とをサーバ３へ送信する（図９ステップＤ１）。
【００４３】
サーバ３は、入力部３１から入ってくる簡単端末ＩＤをキーにして、ユーザ情報ＤＢ４から対象の情報を検索し、そのレコードに記載されているデータ操作端末ＩＤと、入力部３１から入ってきたデータ操作端末ＩＤとが一致するかを端末識別部３２で確認する（図９ステップＳ１）。
【００４４】
これらのデータ操作端末ＩＤが一致しない場合は、データ操作端末２のＬＣＤに、「データ更新は許可されていません」が表示され（図９ステップＤ２）、処理を終了する。一方、これらのデータ操作端末ＩＤが一致する場合は、データ操作端末２によるデータ更新が許可されるため、簡単端末１のＰＩＭデータの更新を行う（図９ステップＤ３）。
【００４５】
サーバ３は、データ操作端末２の指示に従い、ＤＢ更新部３３がユーザ情報ＤＢ４において簡単端末１のＰＩＭデータ（電話帳、画像データ）の上書きを行う（図９ステップＳ２）。更新作業中は、上記のステップＤ３の処理とステップＳ２の処理とを繰り返す。
【００４６】
データ操作端末２は、更新作業が完了したら、その旨をサーバ３のＤＢ更新部３３に通知する（図９ステップＤ４）。サーバ３は、データ操作端末２から通知を受けると、更新日時のレコードを今回の更新日時に変更する（図９ステップＳ３）。
【００４７】
ここで、ユーザ情報ＤＢ４が持っている簡単端末１のユーザ情報について説明する。ＰＩＭデータは、サーバ３側にあるものが常に最新となる。更新があった場合には、差分情報のみを簡単端末１に送付するようにするため、前回更新時の簡単端末１のＰＩＭデータと同じ状態のもの［以下、ＰＩＭデータ（古）と呼ぶ］をサーバ３にも保持しておく。
【００４８】
このようにすることで、簡単端末１側の電源が入っていない等の理由で更新が保留になっている状態で、さらにサーバ３側のＰＩＭデータが更新されたとしても、差分を簡単に抽出することができる。差分情報の作成は、差分情報管理部３４が行う（図９ステップＳ４）。
【００４９】
続いて、サーバ３は、差分情報を簡単端末１に送信し（図９ステップＳ５）、簡単端末１のデータ更新部１３で差分情報を基に簡単端末１内のＰＩＭデータを更新する（図９ステップＫ１）。サーバ３は、簡単端末１の更新が完了したら、サーバ３側のＰＩＭデータ（古）を、最新のＰＩＭデータで上書きする（図９ステップＳ６）。
【００５０】
最後に、サーバ３は、簡単端末１にデータを送信した日を更新して（図９ステップＳ７）、処理を終了する。サーバ３で管理している簡単端末送信日と更新日時とが一致していない場合は、簡単端末１側のＰＩＭデータが最新状態になっていないことを意味する。
【００５１】
このように、本実施の形態では、片面（表面Ａ）を電話機能専用に、もう一方の面（裏面Ｂ）を電子メール作成専用にし、キーと画面との配置の最適化を行っているので、複雑なキー操作に関する知識がなくても、電話機能と電子メール作成機能とを容易に使用することができる。
【００５２】
また、本実施の形態では、設定関係の機能（ＰＩＭデータの更新等）の操作を更新が許可された別携帯電話（データ操作端末２）でのみ行えるようにしたため、複数ステップを踏まないと行うことができない設定関係の操作を、簡単端末１の利用者自身で行わないようにすることができる。
【００５３】
本発明は、上記の実施の形態において、ストレート型の携帯電話のモデルを示しているが、携帯電話の折り畳み形状のモデルの場合、使用できる面が４つ存在するため、４つの機能を割り付けることができる。例えば、電話機能、電子メール機能以外に、カメラ機能を使用する面、目覚まし機能を使用する面といった応用が考えられる。
【００５４】
また、本発明は、上記の実施の形態において、データ操作端末２側から更新ができるデータとして電話帳と写真データとをあげているが、その他に、スケジュールデータ、着信メロディ設定、待ち受け画像設定等の設定を行えるようにするといった応用が考えられる。
【産業上の利用可能性】
【００５５】
本発明は、上記の実施の形態の説明において、携帯電話機について述べているが、ＰＨＳ（Ｐｅｒｓｏｎａｌ  Ｈａｎｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、固定電話機等にも適用可能である。
【図面の簡単な説明】
【００５６】
【図１】本発明の実施の形態による簡単端末の筐体の形状を示す図である。
【図２】本発明の実施の形態による簡単端末の構成例を示すブロック図である。
【図３】（ａ），（ｂ）は本発明の実施の形態による簡単端末の表面の認識処理を説明するための図である。
【図４】本発明の実施の形態による電話システムの構成例を示すブロック図である。
【図５】（ａ），（ｂ）は図１の簡単端末の表面の使用例を示す図である。
【図６】（ａ），（ｂ）は図１の簡単端末の表面の使用例を示す図である。
【図７】（ａ）〜（ｃ）は図１の簡単端末の裏面の使用例を示す図である。
【図８】図１の簡単端末の裏面の使用例を示す図である。
【図９】本発明の実施の形態によるＰＩＭデータの更新処理を示すシーケンスチャートである。
【符号の説明】
【００５７】
１  簡単端末
２  データ操作端末
３  サーバ
４  ユーザ情報データベース
１１  通信部
１２  制御部
１３  データ更新部
１４  有効キー制御部
３１  入力部
３２  端末識別部
３３  ＤＢ更新部
３４  差分情報管理部
３５  出力部
Ａ  表面
Ｂ  裏面
Ｃ  側面
ａ−１，ｂ−１  操作キー
ａ−２，ｂ−２  ＬＣＤ
ａ−３  テンキー
ｂ−３  コントロール用キー
ｃ−１  電源ＯＮ／ＯＦＦ用のキー
【図１】
2010062779.tif 000003
【図２】
2010062779.tif 000004
【図３】
2010062779.tif 000005
【図４】
2010062779.tif 000006
【図５】
2010062779.tif 000007
【図６】
2010062779.tif 000008
【図７】
2010062779.tif 000009
【図８】
2010062779.tif 000010
【図９】
2010062779.tif 000011